【手続補正書】
【提出日】令和3年2月8日(2021.2.8)
【手続補正１】
【補正対象書類名】特許請求の範囲
【補正対象項目名】全文
【補正方法】変更
【補正の内容】
【特許請求の範囲】
【請求項１】
熱カメラ（１０２）によって取得される画像シーケンス（１０３）の画像（１０３ａ）内の変化を強調するための方法であって、
熱カメラ（１０２）によって取得される画像シーケンス（１０３）の一部である画像（１０３ａ）を受信する（Ｓ０２）こと、
前記画像シーケンス（１０３）内の別の画像（１０３ｂ）に対して変化した前記画像（１０３ａ）内のピクセル（４０８）を、前記画像シーケンス（１０３）内の前記別の画像（１０３ｂ）と前記画像（１０３ａ）を比較することによって、識別する（Ｓ０４）こと、
前記識別されたピクセル（４０８）の輝度値に基づいて、前記画像（１０３ａ）内のピクセルの輝度値を再分配するための関数（２１２，２１２ａ，２１２ｂ，２１２ｃ，２１２ｄ，２１２ｅ）を決定する（Ｓ０６）ことであって、前記関数（２１２，２１２ａ，２１２ｂ，２１２ｃ，２１２ｄ，２１２ｅ）は、前記識別されたピクセル（４０８）の輝度値の範囲（５１４）内の第１の輝度値（６０２）について最大（６０１）を有し、また、前記第１の輝度値（６０２）からの距離の増加と共に減衰し、前記関数は、前記第１の輝度値（６０２）に割り当てる値よりも低い値を前記範囲（５１４）の外の輝度値に割り当てる、決定する（Ｓ０６）こと、および、
前記別の画像（１０３ｂ）に対して変化した前記画像（１０３ａ）内のピクセルの輝度値および前記別の画像（１０３ｂ）に対して変化しなかった前記画像（１０３ａ）内のピクセルの輝度値を再分配する（Ｓ０８）ことであって、前記再分配は、前記画像（１０３ａ）内のピクセルの輝度値に、該ピクセルの対応する重み付け係数を掛けることによって行われ、前記対応する重み付け係数は、該ピクセルの輝度値について前記関数（２１２，２１２ａ，２１２ｂ，２１２ｃ，２１２ｄ，２１２ｅ）を評価することによって計算され、前記再分配により前記画像（１０３ａ）内の変化が強調される、再分配する（Ｓ０８）こと
を含む、方法。
【請求項２】
前記関数（２１２，２１２ａ，２１２ｂ，２１２ｃ，２１２ｄ，２１２ｅ）の減衰レートは、前記識別されたピクセル（４０８）の前記輝度値の変動に基づいて決定され、より高い変動はより低い減衰レートを与える、請求項１に記載の方法。
【請求項３】
前記識別されたピクセル（４０８）の輝度値の前記変動は、前記識別されたピクセル（４０８）の輝度値の前記範囲（５１４）の幅に基づいて決定される、請求項２に記載の方法。
【請求項４】
前記関数（２１２，２１２ａ，２１２ｂ，２１２ｃ，２１２ｄ，２１２ｅ）の前記減衰レートは、前記別の画像（１０３ｂ）に対して変化したと識別されない前記画像（１０３ａ）内のピクセルの輝度値の変動にさらに基づき、前記別の画像（１０３ｂ）に対して変化したと識別されない前記画像（１０３ａ）内のピクセルの輝度値のより高い変動はより低い減衰レートを与える、請求項２または３に記載の方法。
【請求項５】
前記第１の輝度値（６０２）は、前記識別されたピクセル（４０８）の輝度値のモードに対応する、請求項１から４のいずれか一項に記載の方法。
【請求項６】
前記第１の輝度値（６０２）は、前記識別されたピクセル（４０８）の輝度値の前記範囲（５１４）の中間点に対応する、請求項１から４のいずれか一項に記載の方法。
【請求項７】
前記第１の輝度値（６０２）は、前記識別されたピクセル（４０８）の輝度値の平均値に対応する、請求項１から４のいずれか一項に記載の方法。
【請求項８】
前記関数（２１２，２１２ａ，２１２ｂ，２１２ｃ，２１２ｅ）は、前記第１の輝度値（６０２）の周りに対称である、請求項１から７のいずれか一項に記載の方法。
【請求項９】
前記関数（２１２，２１２ｄ）は、前記第１の輝度値（６０２）の周りに歪む(skew)、請求項１から７のいずれか一項に記載の方法。
【請求項１０】
前記関数（２１２，２１２ｄ）は、より低い輝度値に比べて、より高い輝度値についてより重いテールを有するように歪む、請求項９に記載の方法。
【請求項１１】
前記関数（２１２，２１２ａ，２１２ｂ，２１２ｄ）は、ガウス関数またはスキュードガウス関数である、請求項１から１０のいずれか一項に記載の方法。
【請求項１２】
前記画像シーケンス（１０３）内の別の画像（１０３ｂ）に対して変化した前記画像（１０３ａ）内のピクセルを識別する（Ｓ０４）ステップは、前記画像シーケンス（１０３）内の前記別の画像（１０３ｂ）の対応するピクセルの輝度値と、閾値より大きい値だけ異なる輝度値を有する前記画像（１０３ａ）内のピクセルを識別することを含む、請求項１から１１のいずれか一項に記載の方法。
【請求項１３】
熱カメラ（１０２）によって取得される画像シーケンス（１０３）の画像（１０３ａ）内の変化を強調するためのデバイス（１０４）であって、
熱カメラ（１０２）によって取得される画像シーケンス（１０３）の一部である画像（１０３ａ）を受信するように構成される受信器（２０２）と、
前記画像シーケンス（１０３）内の別の画像（１０３ｂ）に対して変化した前記画像（１０３ａ）内のピクセル（４０８）を、前記画像シーケンス（１０３）内の前記別の画像（１０３ｂ）と前記画像（１０３ａ）を比較することによって、識別するように構成される変化検出器（２０４）と、
前記識別されたピクセル（４０８）の輝度値に基づいて、前記画像（１０３ａ）内のピクセルの輝度値を再分配するための関数（２１２，２１２ａ，２１２ｂ，２１２ｃ，２１２ｄ，２１２ｅ）を決定するように構成される再分配関数決定器（２０６）であって、前記関数（２１２，２１２ａ，２１２ｂ，２１２ｃ，２１２ｄ，２１２ｅ）は、前記識別されたピクセル（４０８）の輝度値の範囲（５１４）内の第１の輝度値（６０２）について最大（６０１）を有し、また、前記第１の輝度値（６０２）からの距離の増加と共に減衰し、前記関数は、前記第１の輝度値（６０２）に割り当てる値よりも低い値を前記範囲（５１４）の外の輝度値に割り当てる、再分配関数決定器（２０６）と、
前記別の画像（１０３ｂ）に対して変化した前記画像（１０３ａ）内のピクセルの輝度値および前記別の画像（１０３ｂ）に対して変化しなかった前記画像（１０３ａ）内のピクセルの輝度値を再分配するように構成される輝度値再分配器（２０８）であって、前記再分配は、前記画像（１０３ａ）内のピクセルの輝度値に、該ピクセルの対応する重み付け係数を掛けることによって行われ、前記対応する重み付け係数は、該ピクセルの輝度値について前記関数（２１２，２１２ａ，２１２ｂ，２１２ｃ，２１２ｄ，２１２ｅ）を評価することによって計算され、前記再分配により前記画像（１０３ａ）内の変化を強調する、輝度値再分配器（２０８）と
を備える、デバイス（１０４）。
【請求項１４】
熱カメラ（１０２）によって取得される画像シーケンス（１０３）の画像（１０３ａ）内の変化を強調するためのシステム（１００）であって、
画像シーケンス（１０３）を取得するように構成される熱カメラ（１０２）と、
前記熱カメラ（１０２）によって取得される前記画像シーケンス（１０３）の画像（１０３ａ，１０３ｂ）を受信するために配置される、請求項１３に記載のデバイス（１０４）と
を備える、システム（１００）。
【請求項１５】
コンピュータ可読記憶媒体であって、該コンピュータ可読記憶媒体上に記憶されたコンピュータコード命令を有し、前記コンピュータコード命令は、プロセッサによって実行されると、請求項１から１２のいずれか一項に記載の方法を前記プロセッサに実施させる、コンピュータ可読記憶媒体。